(57)【要約】【課題】本発明の課題は、大量の画像データを手早く閲覧可能にさせると共に、視覚的効果の高いスライド表示を実行することである。【解決手段】画像再生装置１は、画像データをスライド表示により表示させる際に、複数の表示ウィンドウを表示部１３に表示させ、複数の表示ウィンドウに表示すべき画像データ、切替時間、表示順序を予め設定し、スライド表示の開始指示により、複数の表示ウィンドウに対応する画像データのスライド表示を行わせる。【選択図】      図１
2004362392.tif 000002
【特許請求の範囲】
【請求項１】
コンピュータに、
複数の表示ウィンドウと表示すべき画像データとの対応関係を記憶する機能と、
複数の表示ウィンドウを表示させ、当該複数の表示ウィンドウに対応する画像データをそれぞれ表示させる機能と、
前記複数の表示ウィンドウに表示される画像データを切り替えて表示させる機能と、
を実現させるためのプログラム。
【請求項２】
前記複数の表示ウィンドウ毎に表示すべき画像データの表示順序を記憶する機能と、
前記表示順序に基づいて、前記複数の表示ウィンドウに対応する画像データを切り替えて表示させる機能と、
を実現させるための請求項１記載のプログラム。
【請求項３】
前記複数の表示ウィンドウ毎に表示すべき画像データの切替時間を記憶する機能と、
前記切替時間に基づいて、前記複数の表示ウィンドウに表示される画像データを切り替えて表示させる機能と、
を実現させるための請求項１又は２記載のプログラム。
【請求項４】
前記複数の表示ウィンドウに表示される画像データの表示タイミングをそれぞれ同期させて表示する機能を実現させるための請求項１から３のいずれか一項に記載のプログラム。
【請求項５】
画像データを表示する表示部を備える画像再生装置であって、
複数の表示ウィンドウと表示すべき画像データとの対応関係を記憶するテーブルと、
複数の表示ウィンドウを前記表示部に表示させ、当該複数の表示ウィンドウに対応する画像データをそれぞれ表示させる表示制御手段と、
前記複数の表示ウィンドウに表示される画像データを切り替えて表示させる制御手段と、
を備えることを特徴とする画像再生装置。
【請求項６】
前記テーブルは、複数の表示ウィンドウ毎に表示すべき画像データの表示順序を記憶し、
前記制御手段は、表示順序に基づいて、前記複数の表示ウィンドウに対応する画像データを切り替えて表示させることを特徴とする請求項５記載の画像再生装置。
【請求項７】
前記テーブルは、複数の表示ウィンドウ毎に表示すべき画像データの切替時間を記憶し、
前記制御手段は、切替時間に基づいて、前記複数の表示ウィンドウに表示される画像データを切り替えて表示させることを特徴とする請求項５又は６記載の画像再生装置。
【請求項８】
前記制御手段は、前記複数の表示ウィンドウに表示される画像データの表示タイミングをそれぞれ同期させて表示させることを特徴とする請求項５から７のいずれか一項に記載の画像再生装置。
【発明の詳細な説明】
【０００１】
【発明の属する技術分野】
本発明は、複数の画像データをスライド表示により画像再生装置に表示させるプログラムに関するものである。
【０００２】
【従来の技術】
近年、デジタルカメラ等を利用して撮影したデジタル画像データをパソコン等のコンピュータ端末で読み込み、パソコンにインストールされた画像表示ソフトで再生することにより、手軽に画像を閲覧することが可能となっている。例えば、運動会や旅行等で撮影された複数の画像データを、１つの画面内で所定時間づつ切り替えて順次表示するスライド表示の技術も知られている。このスライド表示によれば、ユーザは煩雑な操作をすることなく、画面上で次々切り替わる画像データを楽しむことができる。また、複数のファイルに分かれて記録された画像データの順序を自由に決定して、スライド表示を行うスライドショー装置も知られている（例えば、特許文献１参照）。
【０００３】
【特許文献１】
特開２００１−１０３４１５号公報
【０００４】
【発明が解決しようとする課題】
しかしながら、上記従来のスライドショー装置においては（例えば、特許文献１）、表示画面に１つの表示ウィンドウを設け、この表示ウィンドウ内に順次画像データを表示させるだけであったため、画像データが大量にある場合、スライド表示に時間がかかるという問題があった。そこで、複数の画像表示ソフトを立ち上げることにより、複数の表示ウィンドウを同時に表示させて、画像データを再生することも可能であるが、それぞれのソフトに対応させて、表示させる画像データや、表示順序等を設定する必要があり、操作が煩雑であった。
【０００５】
また、複数の画像表示ソフトにより、画像データをスライド表示させる場合、画像表示ソフト間において画像データの表示タイミングを調整することは困難であった。このため、画像データを表示させる際に統一感を持たせたり、適度にタイミングをずらして視覚的効果を得ることはできなかった。
【０００６】
本発明の課題は、大量の画像データを手早く閲覧可能にさせると共に、視覚的効果の高いスライド表示を実行可能なプログラム及び画像再生装置を提供することである。
【０００７】
【課題を解決するための手段】
上記課題を解決するために、請求項１記載の発明は、
コンピュータに、
複数の表示ウィンドウと表示すべき画像データとの対応関係を記憶する機能と、
複数の表示ウィンドウを表示させ、当該複数の表示ウィンドウに対応する画像データをそれぞれ表示させる機能と、
前記複数の表示ウィンドウに表示される画像データを切り替えて表示させる機能と、
を実現させるためのプログラムである。
【０００８】
したがって、表示部に複数の表示ウィンドウを設け、この表示ウィンドウに、複数の画像データを切り替えて表示させることができる。これにより、表示すべき画像データが大量にある場合でも、複数の表示ウィンドウにて同時進行により、画像データの再生を行うことができるため、効率良く短時間で、画像データを再生することができる。
【０００９】
請求項２記載の発明は、請求項１記載のプログラムにおいて、
前記複数の表示ウィンドウ毎に表示すべき画像データの表示順序を記憶する機能と、
前記表示順序に基づいて、前記複数の表示ウィンドウに対応する画像データを切り替えて表示させる機能と、
を実現させるためのプログラムである。
【００１０】
したがって、複数の表示ウィンドウにおいて、画像データを切り替えて表示させる順序を任意に設定することができ、ユーザの所望する表示順序に応じて、画像データを表示させ、スライド表示を楽しむことができる。
【００１１】
請求項３記載の発明は、請求項１又は２記載のプログラムにおいて、
前記複数の表示ウィンドウ毎に表示すべき画像データの切替時間を記憶する機能と、
前記切替時間に基づいて、前記複数の表示ウィンドウに表示される画像データを切り替えて表示させる機能と、
を実現させるためのプログラムである。
【００１２】
したがって、複数の表示ウィンドウにおいて、画像データを切り替えて表示させる際に、画像データ毎に切替時間を設定することができ、ユーザの所望する切替時間に応じて、画像データを表示させ、スライド表示を楽しむことができる。また、切替時間を任意に設定可能とすることにより、画像データの表示にかかる時間を延長、短縮することができ、ユーザの利用態様に応じて、好適なスライド表示を行うことができる。
【００１３】
請求項４記載の発明は、請求項１から３記載のプログラムにおいて、
前記複数の表示ウィンドウに表示される画像データの表示タイミングをそれぞれ同期させて表示する機能を実現させるためのプログラムである。
【００１４】
したがって、複数の表示ウィンドウに表示される画像データの表示タイミングをそれぞれ同期させることにより、画像データの表示に統一感を持たせ、視覚的効果を演出することができる。
【００１５】
請求項５記載の発明は、
画像データを表示する表示部を備える画像再生装置であって、
複数の表示ウィンドウと表示すべき画像データとの対応関係を記憶するテーブルと、
複数の表示ウィンドウを前記表示部に表示させ、当該複数の表示ウィンドウに対応する画像データをそれぞれ表示させる表示制御手段と、
前記複数の表示ウィンドウに表示される画像データを切り替えて表示させる制御手段と、
を備えることを特徴とする。
【００１６】
請求項６記載の発明は、請求項５記載の画像再生装置において、
前記テーブルは、複数の表示ウィンドウ毎に表示すべき画像データの表示順序を記憶し、
前記制御手段は、表示順序に基づいて、前記複数の表示ウィンドウに対応する画像データを切り替えて表示させることを特徴とする。
【００１７】
請求項７記載の発明は、請求項５又は６記載の画像再生装置において、
前記テーブルは、複数の表示ウィンドウ毎に表示すべき画像データの切替時間を記憶し、
前記制御手段は、切替時間に基づいて、前記複数の表示ウィンドウに表示される画像データを切り替えて表示させることを特徴とする。
【００１８】
請求項８記載の発明は、請求項５から７に記載の画像再生装置において、
前記制御手段は、前記複数の表示ウィンドウに表示される画像データの表示タイミングをそれぞれ同期させて表示させることを特徴とする。
【００１９】
【発明の実施の形態】
以下、図を参照して本発明の実施の形態を詳細に説明する。ただし、発明の範囲は、図示例に限定されない。
【００２０】
まず、本実施の形態の構成を説明する。
図１は、本実施の形態における画像再生装置１の機能的構成を示す図である。図１に示すように、画像再生装置１は、ＣＰＵ１１、入力部１２、表示部１３、通信部１４、ＲＡＭ１５、Ｉ／Ｆ１６、記憶部１７等により構成され、各部はバス１８により接続されている。
【００２１】
ＣＰＵ（Ｃｅｎｔｒａｌ  Ｐｒｏｃｅｓｓｉｎｇ  Ｕｎｉｔ）１１は、記憶部１７に格納されている各種プログラムの中から指定されたプログラムを、ＲＡＭ１５内の図示しないワークエリアに展開し、入力部１２、及び通信部１４から入力されるデータに応じて、プログラムに従った各種処理を実行し、処理結果をＲＡＭ１５内のワークメモリに格納する。また、処理結果を表示するための表示情報を生成して表示部１３へ出力する。
【００２２】
具体的に、ＣＰＵ１１は、記憶部１７からスライド条件設定処理プログラム、スライド表示処理プログラムを読み出して、後述するスライド条件設定処理（図３参照）、スライド表示処理（図４参照）を実行する。なお、各処理の詳細は後述する。
【００２３】
入力部１２は、文字キー、数字キー、及び各種機能キーを備えたキーボードを含み、このキーボードで押下されたキーに対応する押下信号をＣＰＵ１１に出力する。また、入力部１２は、必要に応じてマウス、タッチパネル等のポインティングデバイスや、その他の入力装置を備えるものとしてもよい。
【００２４】
表示部１３は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等によってなる表示画面を備え、ＣＰＵ１１から入力される表示信号の指示に従って入力部１２、通信部１４を介して送受信される表示データを画面上に表示する。具体的に表示部１３は、複数の表示ウィンドウを表示し、ＣＰＵ１１の制御に基づいて、表示ウィンドウ内に対応する画像データを順次切り替えて表示させる。なお、本実施の形態においては、表示部１３に２つの表示ウィンドウを表示する場合を例として説明を行うが、ユーザの設定等に応じて、任意の数の表示ウィンドウを表示可能なことは勿論である。
【００２５】
通信部１４は、ＬＡＮ、ＷＡＮ等のネットワークに接続された伝送媒体に接続可能なインターフェイスである。通信部１４は、モデム又はターミナルアダプタ等によって構成され、電話回線、ＩＳＤＮ回線、無線通信回線、専用線、ＣＡＴＶ回線等の通信回線を介して外部機器との通信を行うための制御を行う。
【００２６】
ＲＡＭ（Ｒａｎｄｏｍ  Ａｃｃｅｓｓ  Ｍｅｍｏｒｙ）１５は、ＣＰＵ１１によって実行される各種プログラムやこれら各種プログラムによって処理されたデータ等を一時的に記憶するワークエリアを形成する。また、ＲＡＭ１５は、後述するスライド条件設定処理において、設定されたスライド条件を記憶するスライド条件設定テーブル１５１を格納している。
【００２７】
図２は、スライド条件設定テーブル１５１のデータ構成例を示す図である。図２に示すように、スライド条件設定テーブル１５１は、スライド条件として、画像番号に対応付けて表示ウィンドウ番号、切替時間、表示順序を記憶している。
【００２８】
画像番号は、記憶部１７に記憶されている画像データを一義的に特定するための番号である。また、ウィンドウ番号は、表示部１３に表示される複数の表示ウィンドウを一義的に特定するための番号である。切替時間は、画像データが表示ウィンドウに表示されてから次の画像データに切り替えられるまでの時間、すなわち表示時間を示すものである。表示順序は、表示ウィンドウ毎に、表示される順序を決定するものである。最上段に設定されるスライド条件を例として説明すると、画像１は、表示ウィンドウｗ１に、切替時間が１秒、表示順序が１番にて表示する条件が設定されている。
【００２９】
Ｉ／Ｆ１６は、データ入出力用のポート（図示せず）を備え、このポートにＦＤ（登録商標）、ＣＤ−Ｒ、半導体メモリ等の記録メディアを接続してデータの転送速度の調整等を行う。例えば、Ｉ／Ｆ１６は、画像再生装置１と、記録メディアとの間で画像データのやりとりを仲介する。
【００３０】
記憶部１７は、プログラムやデータ等が予め記録されている記録媒体（図示せず）を有しており、この記録媒体は磁気的、光学的記録媒体、若しくは半導体メモリで構成されている。この記録媒体は、記憶部１７に固定的に設けられるもの、若しくは着脱自在に装着するものであり、この記録媒体には、システムプログラム、当該システムに対応する各種処理プログラム、及び各種処理プログラムで処理されたデータ等を記録する。また、プログラムは、コンピュータが読み取り可能なプログラムコードの形態で格納され、ＣＰＵ１１は、当該プログラムコードに従った動作を逐次実行する。
【００３１】
また、記憶部１７は、後述するスライド表示処理において、表示部１３に表示される画像データを画像ファイル名やパス名、画像番号と共に記憶している。この画像データは、例えば、デジタルスチルカメラにより撮影された静止画像、デジタルビデオカメラにより撮影された動画像、或いは、スキャナ等により読み取られたプリント画像等である。本実施の形態では、表示部１３に表示する画像データを記憶部１７に記憶しているが、もちろん記憶部１７とは別の記憶部に記憶してもよい。例えば、ＣＤ−ＲＯＭ、ＤＶＤ−ＲＯＭ、フラッシュメモリ、ハードディスクドライブ等の記録媒体が例示される。また、画像データと対応する画像ファイル名やパス名、画像番号とは別に記憶してもよい。
【００３２】
なお、記録媒体に記憶するプログラム、データ等は、その一部若しくは全部をサーバやクライアント等の他の機器からＷＡＮ、ＬＡＮ等のネットワーク回線の伝送媒体を介して通信部１４から受信して記憶する構成にしてもよく、さらに、記録媒体はネットワーク上に構築されたサーバの記録媒体であってもよい。また、前記プログラムをネットワーク回線等の伝送媒体を介してサーバやクライアントへ伝送してこれらの機器にインストールするように構成してもよい。
【００３３】
次に、本実施の形態の動作を説明する。
なお、動作説明の前提として、以下のフローチャートに記述されている各処理を実現するためのプログラムは、画像再生装置１のＣＰＵ１１が読み取り可能なプログラムコードの形態で記憶部１７に格納されており、ＣＰＵ１１は、当該プログラムコードに従った動作を逐次実行する。
【００３４】
まず、ユーザの指示に応じてスライド条件を設定するスライド条件設定処理について説明する。図３は、ＣＰＵ１１により実行されるスライド条件設定処理を示すフローチャートである。図３に示すように、ＣＰＵ１１は、スライド表示を行う画像データを選択させ、入力部１２を介して選択された画像番号を取得する（ステップＳ１）。
【００３５】
次いで、ＣＰＵ１１は、ユーザに選択させた画像データを表示する表示ウィンドウを選択させる（ステップＳ２）。すなわち、入力部１２を介して、画像番号に対応付けて表示ウィンドウ番号を入力させ、画像番号及びウィンドウ番号を対応付けて取得する。
【００３６】
また、ＣＰＵ１１は、各画像データの切替時間を決定させる（ステップＳ３）。すなわち、入力部１２を介して、画像番号に対応付けて切替時間を入力させ、画像番号及び切替時間を取得する。
【００３７】
さらに、ＣＰＵ１１は、画像データの表示順序を決定させる（ステップＳ４）。すなわち、入力部１２を介して、画像番号に対応付けて表示順序を入力させ、画像番号及び表示順序を対応付けて取得する。そして、ＣＰＵ１１は、画像番号に対応付けて取得したウィンドウ番号、切替時間、表示順序をスライド条件設定テーブル１５１に保存して（ステップＳ５）、本スライド条件設定処理を終了する。
【００３８】
次に、設定されたスライド条件に基づいて、画像データを複数の表示ウィンドウにスライド表示させるスライド表示処理について説明する。図４は、ＣＰＵ１１により実行されるスライド表示処理を示すフローチャートである。図４に示すように、入力部１２を介して、スライド表示を開始する指示が入力されると（ステップＳ１１；ＹＥＳ）、ＣＰＵ１１は、ＲＡＭ１５に格納されるスライド条件設定テーブル１５１からスライド条件を取得する（ステップＳ１２）。
【００３９】
続いて、ＣＰＵ１１は、スライド条件に設定されている画像番号に基づいて、記憶部１７から画像番号に対応する画像データを取得する（ステップＳ１２）。次いで、設定されている複数の表示ウィンドウを表示部１３に表示させ、スライド条件に基づいて、取得した画像データを対応する表示ウィンドウに表示させる。さらに、ＣＰＵ１１は、切替時間が経過すると、表示ウィンドウ内の画像データを表示順序に応じた次の画像データに切り替えて表示させ、スライド表示を実行する（ステップＳ１３）。
【００４０】
図５は、表示部１３に表示されるスライド表示画面の一例を示す図である。図５に示すように、スライド表示画面１３１には、２つの表示ウィンドウｗ１，ｗ２が表示され、各表示ウィンドウｗ１，ｗ２内には、スライド条件に基づいて、対応する画像データがそれぞれスライド表示されている。
【００４１】
以上のように、本実施の形態における画像再生装置１によれば、画像データをスライド表示により表示させる際に、複数の表示ウィンドウを表示部１３に表示させ、複数の表示ウィンドウに表示すべき画像データ、切替時間、表示順序を予め設定し、スライド表示の開始指示により、複数の表示ウィンドウに対応する画像データのスライド表示を行わせる。
【００４２】
したがって、表示すべき画像データが大量にある場合であっても、複数の表示ウィンドウを用いて複数の画像データのスライド表示を同時に進行させることができるため、効率良くスライド表示を楽しむことができる。また、複数の表示ウィンドウに画像データを表示させることにより、従来とは異なる視覚的効果を得ることができる。
【００４３】
例えば、スライド表示の開始指示に応じて、複数の表示ウィンドウにおける画像データの表示開始タイミングや切替時間を同期させることにより、画像データの切り替えに統一感を生み出すことができ、映像的な演出効果を得ることができる。また、複数の表示ウィンドウにおける画像データの表示開始タイミングや切替時間に差異を設けることにより、新たな視覚的効果を演出することができる。
【００４４】
なお、上述した本実施の形態における記述は、本発明にかかる好適な画像再生装置の一例であり、これに限定されるものではない。例えば、本実施の形態においては、表示部１３に表示される表示ウィンドウが２つの場合を例として説明したが、これに限らず、任意の数の表示ウィンドウが表示され、各表示ウィンドウに対応付けて画像データがスライド表示される構成であってよい。
【００４５】
また、本実施の形態においては、スライド条件として、画像番号に対応付けて、表示ウィンドウ、切替時間、表示順序を設定する構成を例として説明したが、スライド条件はこれに限らず種々の条件を設定可能なことは勿論である。例えば、表示ウィンドウの表示位置、表示サイズ、表示形状等を設定することも可能であり、画像データの表示タイミング、フェードイン、フェードアウト効果等の設定を行うことも可能である。これにより、より視覚的効果の高いスライド表示を行うことができ、ユーザは従来とは異なるスライド表示を楽しむことができる。
【００４６】
或いは、切替時間を設定せずに、スライド表示の開始指示が入力された場合、複数の表示ウィンドウに表示される画像データの表示タイミングをそれぞれ同期させて表示させる構成であってよい。
【００４７】
また、複数の表示ウィンドウにて行われるスライド表示は、常に同時に進行する必要はなく、一の表示ウィンドウにおけるスライド表示の終了と、他の表示ウィンドウにおけるスライド表示の開始とが、所定時間重複する構成であればよい。すなわち、複数の表示ウィンドウにてスライド表示を一部重複して行うことにより、スライド表示の時間を短縮する効果が得られれば良い。
【００４８】
なお、本実施の形態では画像データに対応して画像番号を指定する構成を例として説明したが、画像データのファイル名やパス名、その他の画像データを指し示すものであれば何でもよい。また、本実施の形態ではスライド条件設定テーブルをＲＡＭ１５に格納したが、記憶部１７に格納してもよい。
【００４９】
その他、本実施の形態における画像再生装置１における各構成要素の細部構成及び細部動作に関しては、本発明の趣旨を逸脱することのない範囲で適宜変更可能であることは勿論である。
【００５０】
【発明の効果】
請求項１又は５記載の発明によれば、表示部に複数の表示ウィンドウを設け、この表示ウィンドウに、複数の画像データを切り替えて表示させることができる。これにより、表示すべき画像データが大量にある場合でも、複数の表示ウィンドウにて同時進行により、画像データの再生を行うことができるため、効率良く短時間で、画像データを再生することができる。
【００５１】
請求項２又は６記載の発明によれば、複数の表示ウィンドウにおいて、画像データを切り替えて表示させる順序を任意に設定することができ、ユーザの所望する表示順序に応じて、画像データを表示させ、スライド表示を楽しむことができる。
【００５２】
請求項３又は７記載の発明によれば、複数の表示ウィンドウにおいて、画像データを切り替えて表示させる際に、画像データ毎に切替時間を設定することができ、ユーザの所望する切替時間に応じて、画像データを表示させ、スライド表示を楽しむことができる。また、切替時間を任意に設定可能とすることにより、画像データの表示にかかる時間を延長、短縮することができ、ユーザの利用態様に応じて、好適なスライド表示を行うことができる。
【００５３】
請求項４又は８記載の発明によれば、複数の表示ウィンドウに表示される画像データの表示タイミングをそれぞれ同期させることにより、画像データの表示に統一感を持たせ、視覚的効果を演出することができる。
【図面の簡単な説明】
【図１】本発明を適用した実施の形態における画像再生装置１の機能的構成を示すブロック図である。
【図２】図１のＲＡＭ１５に格納されるスライド条件設定テーブル１５１のデータ構成例を示す図である。
【図３】図１のＣＰＵ１１により実行されるスライド条件設定処理を示すフローチャートである。
【図４】図１のＣＰＵ１１により実行されるスライド表示処理を示すフローチャートである。
【図５】図１の表示部１３に表示されるスライド表示画面１３１の一例を示す図である。
【符号の説明】
１    画像再生装置
１１    ＣＰＵ
１２    入力部
１３    表示部
１４    通信部
１５    ＲＡＭ
１５１    スライド条件設定テーブル
１６    Ｉ／Ｆ
１７    記憶部
１８    バス
【図１】
2004362392.tif 000003
【図２】
2004362392.tif 000004
【図３】
2004362392.tif 000005
【図４】
2004362392.tif 000006
【図５】
2004362392.tif 000007